(57)【特許請求の範囲】
【請求項１】
表示パネルと、
前記表示パネルの上に積み重なるタッチパネルと、を備え、
前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備え、
前記タッチパネルは、
１つの方向である第１電極方向と、前記第１電極方向に直交する方向である第２電極方向とに沿って並ぶ複数の正方形形状を有する単位格子から形成された正方格子形状を有した格子状電極を備え、
前記格子状電極は、複数の電極線であって、前記電極線の線幅が、５μｍ以下である前記複数の電極線から形成され、
前記表示パネルと前記タッチパネルとが積み重なる方向から見て、前記格子状電極は、前記ブラックマトリックスの上に重なり、
前記第１画素方向と前記第１電極方向とが形成する角度が、３０°以上３５°以下、または、５５°以上６０°以下であり、
前記ブラックマトリックスによって画定される画素の密度が、９６ｐｐｉ以上１５０ｐｐｉ以下であり、
前記格子状電極における単位格子の一辺の長さが、０．３００ｍｍ以上０．３１５ｍｍ以下である
表示装置。
【請求項２】
表示パネルと、
前記表示パネルの上に積み重なるタッチパネルと、を備え、
前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備え、
前記タッチパネルは、
１つの方向である第１電極方向と、前記第１電極方向に直交する方向である第２電極方向とに沿って並ぶ複数の正方形形状を有する単位格子から形成された正方格子形状を有した格子状電極を備え、
前記格子状電極は、複数の電極線であって、前記電極線の線幅が、５μｍ以下である前記複数の電極線から形成され、
前記表示パネルと前記タッチパネルとが積み重なる方向から見て、前記格子状電極は、前記ブラックマトリックスの上に重なり、前記第１画素方向と前記第１電極方向とが形成する角度が、３０°以上４０°以下、または、５０°以上６０°以下であり、
前記ブラックマトリックスによって画定される画素の密度が、９６ｐｐｉであり、
前記格子状電極における単位格子の一辺の長さが、０．３００ｍｍ以上０．３５５ｍｍ以下である
表示装置。
【請求項３】
表示パネルと、
前記表示パネルの上に積み重なるタッチパネルと、を備え、
前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備え、
前記タッチパネルは、
１つの方向である第１電極方向と、前記第１電極方向に直交する方向である第２電極方向とに沿って並ぶ複数の正方形形状を有する単位格子から形成された正方格子形状を有した格子状電極を備え、
前記格子状電極は、複数の電極線であって、前記電極線の線幅が、５μｍ以下である前記複数の電極線から形成され、
前記表示パネルと前記タッチパネルとが積み重なる方向から見て、前記格子状電極は、前記ブラックマトリックスの上に重なり、
前記第１画素方向と前記第１電極方向とが形成する角度が、３０°以上３５°以下、または、５５°以上６０°以下であり、
前記ブラックマトリックスによって画定される画素の密度が、９６ｐｐｉであり、
前記格子状電極における単位格子の一辺の長さが、０．４１０ｍｍ以上０．４５０ｍｍ以下である
表示装置。
【請求項４】
表示パネルと、
前記表示パネルの上に積み重なるタッチパネルと、を備え、
前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備え、
前記タッチパネルは、
１つの方向である第１電極方向と、前記第１電極方向に直交する方向である第２電極方向とに沿って並ぶ複数の正方形形状を有する単位格子から形成された正方格子形状を有した格子状電極を備え、
前記格子状電極は、複数の電極線であって、前記電極線の線幅が、５μｍ以下である前記複数の電極線から形成され、
前記表示パネルと前記タッチパネルとが積み重なる方向から見て、前記格子状電極は、前記ブラックマトリックスの上に重なり、
前記第１画素方向と前記第１電極方向とが形成する角度が、３０°以上３５°以下、または、５５°以上６０°以下であり、
前記ブラックマトリックスによって画定される画素の密度が、１５０ｐｐｉであり、
前記格子状電極における単位格子の一辺の長さが、０．２６５ｍｍ以上０．３１５ｍｍ以下である
表示装置。
【請求項５】
表示パネルと、
前記表示パネルの上に積み重なるタッチパネルと、を備え、
前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備え、
前記タッチパネルは、
１つの方向である第１電極方向と、前記第１電極方向に直交する方向である第２電極方向とに沿って並ぶ複数の正方形形状を有する単位格子から形成された正方格子形状を有した格子状電極を備え、
前記格子状電極は、複数の電極線であって、前記電極線の線幅が、５μｍ以下である前記複数の電極線から形成され、
前記表示パネルと前記タッチパネルとが積み重なる方向から見て、前記格子状電極は、前記ブラックマトリックスの上に重なり、
前記第１画素方向と前記第１電極方向とが形成する角度が、３０°以上３５°以下、または、５５°以上６０°以下であり、
前記ブラックマトリックスによって画定される画素の密度が、３６４ｐｐｉであり、
前記格子状電極における単位格子の一辺の長さが、０．２６０ｍｍ以上０．２６５ｍｍ以下である
表示装置。
【発明の詳細な説明】
【技術分野】
【０００１】
本発明は、タッチパネルと表示パネルとを備える表示装置に関する。
【背景技術】
【０００２】
表示装置が備えるタッチパネルは、複数の第１電極と複数の第２電極とを備え、指などが操作面に接触したことを各第１電極と各第２電極との間の静電容量の変化として検出する。第１電極と第２電極とは、銀や銅などの金属から形成された複数の電極線を備えている。第１電極は、１つの方向であるＸ方向に沿って延びる一方で、第２電極は、Ｘ方向と直交する方向であるＹ方向に沿って延びている。各第１電極には、複数の第２電極が重なり、第１電極と第２電極とが重なる方向から見て、複数の第１電極と複数の第２電極とは、Ｘ方向およびＹ方向に沿って並ぶ複数の単位格子から構成される正方格子を形成している（例えば、特許文献１参照）。
【先行技術文献】
【特許文献】
【０００３】
【特許文献１】特開２０１２−０７９２３８号公報
【発明の概要】
【発明が解決しようとする課題】
【０００４】
ところで、表示装置は、タッチパネルの他に、画像を表示するための表示パネルを備えている。表示パネルは、複数の画素を区画するためのブラックマトリックスを備え、ブラックマトリックスは、Ｘ方向およびＹ方向に沿って並ぶ複数の正方形から構成される正方格子を有している。そのため、表示装置では、ブラックマトリックスの有する正方格子の上に、タッチパネルの有する正方格子が重なる。タッチパネルと表示パネルとが重なる方向から見て、一方の正方格子が、他方の正方格子に対して完全には重ならないため、２つの正方格子によってモアレが生じてしまう。
本発明は、モアレを抑えることができる表示装置を提供することを目的とする。
【課題を解決するための手段】
【０００５】
上記課題を解決するための表示装置は、表示パネルと、前記表示パネルの上に積み重なるタッチパネルと、を備える。前記表示パネルは、１つの方向である第１画素方向と、前記第１画素方向に直交する方向である第２画素方向とに沿って並ぶ複数の略正方形形状を有する単位格子から形成された正方格子を有したブラックマトリックスを備える。前記タッチパネルは、１つの方向である第１電極方向と、前記第１電極方向に直交する方向である第２電極方向とに沿って並ぶ複数の正方形形状を有する単位格子から形成された正方格子形状を有した格子状電極を備え、前記格子状電極は、複数の電極線であって、前記電極線の線幅が、５μｍ以下である前記複数の電極線から形成される。前記表示パネルと前記タッチパネルとが積み重なる方向から見て、前記格子状電極は、前記ブラックマトリックスの上に重なり、前記第１画素方向と前記第１電極方向とが形成する角度が、３０°以上４０°以下、または、５０°以上６０°以下である。
【０００６】
本願発明者らは、表示パネルが備えるブラックマトリックスと、タッチパネルが備える格子状電極との形成するモアレを抑える構成を鋭意検討する中で、以下の構成により、モアレを抑えることが可能であることを見出した。すなわち、発明者らは、ブラックマトリクスの備える正方格子が並ぶ第１画素方向と、格子状電極の備える正方格子が並ぶ第１電極方向とが形成する角度が、３０°以上４０°以下、または、５０°以上６０°以下であることにより、モアレが生じることが抑えられることを見出した。この点で、上記表示装置の一態様によれば、第１画素方向と第１電極方向とが形成する角度が、３０°以上４０°以下、または、５０°以上６０°以下であるため、表示装置においてモアレが生じることが抑えられる。
【０００７】
上記表示装置の他の態様において、前記第１画素方向と前記第１電極方向とが形成する角度が、３０°以上３５°以下、または、５５°以上６０°以下であり、前記ブラックマトリックスによって画定される画素の密度が、９６ｐｐｉ以上１５０ｐｐｉ以下であり、前記格子状電極における単位格子の一辺の長さが、０．３００ｍｍ以上０．３１５ｍｍ以下であることが好ましい。
【０００８】
本願発明者らは、表示パネルが備えるブラックマトリックスと、タッチパネルが備える格子状電極との形成するモアレを抑える構成を鋭意検討する中で、以下の構成により、モアレを抑えることが可能であることを見出した。すなわち、発明者らは、以下の構成が満たされることによって、モアレが抑えられることを見出した。
・第１画素方向と第１電極方向とが形成する角度が、３０°以上３５°以下、または、５５°以上６０°以下である。
・ブラックマトリックスによって画定される画素の密度が、９６ｐｐｉ以上１５０ｐｐｉ以下である。
・格子状電極における単位格子の一辺の長さが、０．３００ｎｎ以上０．３１５ｍｍ以下である。
【０００９】
この点で、上記表示装置の他の態様によれば、第１画素方向と第１電極方向とが形成する角度が３０°以上３５°以下、または、５５°以上６０°以下であり、かつ、ブラックマトリックスによって画定される画素の密度が、９６ｐｐｉ以上１５０ｐｐｉ以下であり、かつ、格子状電極における単位格子の一辺の長さが、０．３００ｎｎ以上０．３１５ｍｍ以下であるため、モアレが生じることが抑えられる。
【００１０】
上記表示装置の他の態様において、前記ブラックマトリックスによって画定される画素の密度が、９６ｐｐｉであり、前記格子状電極における単位格子の一辺の長さが、０．３００ｍｍ以上０．３５５ｍｍ以下であることが好ましい。
【００１１】
上記表示装置の他の態様において、前記第１画素方向と前記第１電極方向とが形成する角度が、３０°以上３５°以下、または、５５°以上６０°以下であり、前記ブラックマトリックスによって画定される画素の密度が、９６ｐｐｉであり、前記格子状電極における単位格子の一辺の長さが、０．４１０ｍｍ以上０．４５０ｍｍ以下であることが好ましい。
【００１２】
上記表示装置の他の態様において、前記第１画素方向と前記第１電極方向とが形成する角度が、３０°以上３５°以下、または、５５°以上６０°以下であり、前記ブラックマトリックスによって画定される画素の密度が、１５０ｐｐｉであり、前記格子状電極における単位格子の一辺の長さが、０．２６５ｍｍ以上０．３１５ｍｍ以下であることが好ましい。
【００１３】
上記表示装置の他の態様において、前記第１画素方向と前記第１電極方向とが形成する角度が、３０°以上３５°以下、または、５５°以上６０°以下であり、前記ブラックマトリックスによって画定される画素の密度が、３６４ｐｐｉであり、前記格子状電極における単位格子の一辺の長さが、０．２６０ｍｍ以上０．２６５ｍｍ以下であることが好ましい。
【００１４】
本願発明者らは、表示パネルが備えるブラックマトリックスと、タッチパネルが備える格子状電極との形成するモアレを抑える構成を鋭意検討する中で、以下の構成により、モアレを抑えることが可能であることを見出した。すなわち、発明者らは、第１画素方向と第１電極方向とが形成する角度が３０°以上４０°以下、または、５０°以上６０°以下であるとき、ブラックマトリックスによって画定される画素の密度と、格子状電極における単位格子の一辺の長さである単位長さとが、以下の組み合わせである場合には、モアレが生じないことを見出した。
・画素の密度が９６ｐｐｉであり、格子状電極における単位長さが０．３００ｍｍ以上０．３５５ｍｍ以下である。
【００１５】
また、発明者らは、第１画素方向と第１電極方向とが形成する角度が３０°以上３５°以下、または、５５°以上６０°以下であるとき、ブラックマトリックスによって画定される画素の密度と、格子状電極における単位格子の一辺の長さである単位長さとが、以下の３つの組み合わせのいずれかに含まれる場合には、モアレが生じないことを見出した。
・画素の密度が９６ｐｐｉであり、格子状電極における単位長さが０．４１０ｍｍ以上０．４５０ｍｍ以下である。
・画素の密度が１５０ｐｐｉであり、格子状電極における単位長さが０．２６５ｍｍ以上０．３１５ｍｍ以下である。
・画素の密度が３６４ｐｐｉであり、格子状電極における単位長さが０．２６０ｍｍ以上０．２６５以下である。
【００１６】
この点で、上記表示装置の他の態様の各々によれば、第１画素方向と第１電極方向とが形成する角度、ブラックマトリックスによって画定される画素の密度、および、格子状電極における単位格子の一辺の長さが、上記４つの組み合わせのいずれかに含まれるため、表示装置においてモアレが生じない。
【発明の効果】
【００１７】
本発明によれば、表示装置においてモアレが生じることが抑えられる。
【図面の簡単な説明】
【００１８】
【図１】本発明の表示装置を具体化した１つの実施形態において表示装置を分解して示す分解斜視図である。
【図２】表示パネルが備えるブラックマトリックスの平面構造を示す平面図である。
【図３】タッチパネルが備える格子状電極の一例における平面構造を示す平面図である。
【図４】タッチパネルが備える格子状電極の一例が備える繰り返し単位の平面構造を示す平面図である。
【図５】タッチパネルが備える格子状電極の一例における平面構造を示す平面図である。
【図６】ブラックマトリックスと格子状電極とが積み重なる状態を模式的に示す模式図である。
【図７】表示装置の変形例におけるタッチパネルの断面構造を示す断面図である。
【図８】表示装置の変形例におけるタッチパネルの断面構造を示す断面図である。
【発明を実施するための形態】
【００１９】
図１から図６を参照して、表示装置を具体化した１つの実施形態を説明する。なお、以下では、表示装置の構成、表示パネルが備えるブラックマトリックスの構成、タッチパネルが備える格子状電極の構成、および、表示装置の構成とモアレとの関係を順番に説明する。
【００２０】
［表示装置の構成］
図１を参照して表示装置の構成を説明する。
図１が示すように、表示装置１００は、例えば液晶パネルである表示パネル１０とタッチパネル２０とが重ねられた積層体である。タッチパネル２０は、タッチセンサ用電極２１とカバー層２２とが透明接着層２３によって貼り合わされた積層体である。カバー層２２は、ガラス基板や樹脂フィルムなどによって形成され、カバー層２２における透明接着層２３に接する面とは反対側の面である上面は、タッチパネル２０の操作面として機能する。カバー層２２と透明接着層２３とは、表示パネル１０の表示する画像などの情報を透過することが可能な透過性を有している。なお、タッチパネル２０は、透明接着層２３が割愛され、かつ、タッチセンサ用電極２１にカバー層２２が重ねられた構成であってもよい。
【００２１】
タッチセンサ用電極２１を構成する透明誘電体基板３１は、誘電体から形成され、透明誘電体基板３１は、静電容量の変化によって接触位置を検出するための静電容量をタッチセンサ用電極２１において形成する。透明誘電体基板３１は、例えば、透明ガラス基板や透明樹脂フィルムなどから形成されて、１つの基材から構成される単層構造を有していてもよいし、２つ以上の基材が重ねられた多層構造を有していてもよい。透明誘電体基板３１の下面は、ドライブ面３１Ｄであり、また、透明誘電体基板３１の上面は、センシング面３１Ｓである。
【００２２】
透明誘電体基板３１のドライブ面３１Ｄには、複数のドライブ電極３２が形成され、各ドライブ電極３２は、１つの方向である第１画素方向ＤＰ１に沿って延びる帯形状を有し、かつ、複数のドライブ電極３２は、第１画素方向ＤＰ１と直交する方向である第２画素方向ＤＰ２に沿って間隔を空けて並んでいる。各ドライブ電極３２は、複数のドライブ電極線３２Ｌから形成されている。ドライブ電極線３２Ｌの線幅は、５μｍ以下である。
【００２３】
複数のドライブ電極３２の各々は、選択回路４０に個別に接続されて、選択回路４０が各ドライブ電極３２に印加する駆動電圧を受けることによって選択される。
【００２４】
ドライブ電極線３２Ｌは、例えば、銅膜などの金属膜から形成される。複数のドライブ電極３２は、ドライブ面３１Ｄに形成された１つの金属膜が、マスクを介してエッチングされることによって、同時に形成されてもよい。また、複数のドライブ電極３２は、透明誘電体基板３１とは異なる他の基材に形成され、複数のドライブ電極３２のみが透明誘電体基板３１に貼り付けられる、あるいは、透明誘電体基板３１と他の基材とが貼り合わされることによって形成されてもよい。
【００２５】
透明誘電体基板３１のセンシング面３１Ｓには、複数のセンシング電極３３が形成され、各センシング電極３３は、第２画素方向ＤＰ２に沿って延びる帯形状を有し、かつ、複数のセンシング電極３３は、第１画素方向ＤＰ１に沿って間隔を空けて並んでいる。各センシング電極３３は、複数のセンシング電極線３３Ｌから形成されている。センシング電極線３３Ｌの線幅は、５μｍ以下であり、センシング電極線３３Ｌの線幅はドライブ電極線３２Ｌの線幅と互いに等しくてもよいし、互いに異なっていてもよい。
複数のセンシング電極３３の各々は、検出回路５０に個別に接続されて、センシング電極３３ごとの電圧が、検出回路５０によって検出される。
【００２６】
センシング電極線３３Ｌは、例えば、銅膜などの金属膜から形成される。複数のセンシング電極３３は、センシング面３１Ｓに形成された１つの金属膜が、マスクを介してエッチングされることによって、同時に形成されてもよい。また、センシング電極３３は、透明誘電体基板３１とは異なる他の基材に形成され、複数のセンシング電極３３のみが透明誘電体基板３１に貼り付けられる、あるいは、透明誘電体基板３１と他の基材とが貼り合わされることによって形成されてもよい。
【００２７】
［ブラックマトリックスの構成］
図２を参照して、表示パネル１０が備えるブラックマトリックスの構成を説明する。なお、表示パネル１０は、複数の層から構成された多層構造を有し、複数の層には、ブラックマトリックスを備えるカラーフィルタ層が含まれている。
【００２８】
図２が示すように、カラーフィルタ層１１は、ブラックマトリックス１２を備え、ブラックマトリックス１２は、複数の単位格子１２ａを備えている。各単位格子１２ａは、略正方形形状を有し、複数の単位格子１２ａは、第１画素方向ＤＰ１と第２画素方向ＤＰ２とに沿って並んでいる。すなわち、ブラックマトリックス１２は、複数の単位格子１２ａから形成された正方格子１２Ｇを有している。
【００２９】
正方格子１２Ｇは、二次元の格子であり、正方格子１２Ｇにおいて、カラーフィルタ層１１における正方格子１２Ｇが形成された面と対向する平面視にて、単位格子１２ａが略正方形形状を有している。正方格子１２Ｇでは、単位格子１２ａが、第１画素方向ＤＰ１と第２画素方向ＤＰ２とに沿って並進し、かつ、単位格子１２ａの並進する方向である第１画素方向ＤＰ１と第２画素方向ＤＰ２とが、互いに直交している。また、単位格子１２ａは、第１画素方向ＤＰ１に沿う直線上に並び、かつ、第２画素方向ＤＰ２に沿う直線上に並んでいる。
なお、略正方形には、単位格子１２ａにおいて互いに直交する２つの辺の間における長さの比が、０．９以上１．１以下である矩形が含まれる。
【００３０】
また、ブラックマトリックス１２は、第２画素方向ＤＰ２に沿って延びる直線形状を有した複数の副画素線１２ｂを有している。各単位格子１２ａ内には、２本の副画素線１２ｂが通り、１つの単位格子１２ａ内を通る２本の副画素線１２ｂは、第１画素方向ＤＰ１において１つの単位格子１２ａを三等分している。
【００３１】
各単位格子１２ａにおいて、単位格子１２ａと２本の副画素線１２ｂとによって区画された３つの領域の各々には、互いに異なる色を有した着色層が形成されている。例えば、各単位格子１２ａでは、第１画素方向ＤＰ１に沿って、赤色を有する着色層１３Ｒと、緑色を有する着色層１３Ｇと、青色を有する着色層１３Ｂとが順番に並んでいる。そして、複数の単位格子１２ａの間において、３つの着色層の並ぶ順番が同じである。また、ブラックマトリックス１２において、同じ色を有する複数の着色層が、第２画素方向ＤＰ２に沿って並んでいる。
【００３２】
複数の着色層の各々と、ブラックマトリックス１２のうち、各着色層を囲む部分が、１つの副画素であり、第１画素方向ＤＰ１に沿って並ぶ３つの副画素であって、互いに異なる色を有した３つの副画素が、１つの画素１３を構成している。すなわち、１つの単位格子１２ａによって、１つの画素１３が区画され、１つの画素１３は、単位格子１２ａと、１つの単位格子１２ａに囲まれる領域に位置する３つの着色層とを含んでいる。
【００３３】
なお、第１画素方向ＤＰ１における単位格子１２ａの幅が第１画素ピッチＰ１であり、第２画素方向ＤＰ２における単位格子１２ａの幅が第２画素ピッチＰ２である。第１画素ピッチＰ１および第２画素ピッチＰ２の各々は、表示装置１００において、ブラックマトリックス１２によって画定される画素の密度である画素密度（ｐｐｉ）に応じて適宜設定される。
【００３４】
画素密度の値は、例えば、９６ｐｐｉ、１５０ｐｐｉ、および、３６４ｐｐｉなどである。ブラックマトリックス１２の単位格子１２ａが正方形形状を有するとき、第１画素ピッチＰ１と第２画素ピッチＰ２とが等しく、そして、画素密度が９６ｐｐｉであるとき、第１画素ピッチＰ１および第２画素ピッチＰ２は、例えば、０．２６４５ｍｍである。また、画素密度が１５０ｐｐｉであるとき、第１画素ピッチＰ１および第２画素ピッチＰ２は、例えば、０．１６９３ｍｍであり、画素密度が３６４ｐｐｉであるとき、第１画素ピッチＰ１および第２画素ピッチＰ２は、例えば、０．０６９８ｍｍである。
【００３５】
［格子状電極の構成］
図３から図５を参照して、複数のドライブ電極３２と複数のセンシング電極３３とが形成する格子状電極の構成を説明する。なお、図３には、格子状電極の一例における平面構造が示されている一方で、図５には、格子状電極の他の一例における平面構造が示されている。
【００３６】
図３および図５では、図示の便宜上から、透明誘電体基板３１のセンシング面３１Ｓと対向する方向から見たときの格子状電極のみを示し、透明誘電体基板３１の図示が省略されている。図３では、図示の便宜上から、ドライブ電極線３２Ｌが黒太線で示され、センシング電極線３３Ｌが、白抜きの線で示されている。図５では、図示の便宜上から、ドライブ電極線３２Ｌが細線で示され、センシング電極線３３Ｌが太線で示され、かつ、電極線として機能する部分にドットのハッチングが付されている一方で、ダミーパターンとして機能する部分が白抜きで示されている。
【００３７】
図３が示すように、各ドライブ電極３２は、複数のドライブ主線３２ＭＬと、複数のドライブ副線３２ＳＬとを備えている。複数のドライブ主線３２ＭＬの各々は、１つの方向である第１電極方向ＤＥ１に沿って延びる直線形状を有し、かつ、互いに隣り合うドライブ電極３２の間において途切れる線分である。第１電極方向ＤＥ１は、第１画素方向ＤＰ１に対して傾きを有する方向であり、第１電極方向ＤＥ１と第１画素方向ＤＰ１とが形成する角度は傾斜角度である。傾斜角度は、３０°以上４０°以下、または、５０°以上６０°以下のいずれかの範囲に含まれる角度である。複数のドライブ主線３２ＭＬの各々において、互いに隣り合うドライブ電極３２の間において途切れる部分は、図３において一点鎖線の円によって囲まれ、第１画素方向ＤＰ１に沿って並んでいる。
【００３８】
複数のドライブ主線３２ＭＬは、１つの方向である第２電極方向ＤＥ２に沿って、間隔を空けて並んでいる。第２電極方向ＤＥ２は、第１電極方向ＤＥ１と直交する方向であり、第２電極方向ＤＥ２と第２画素方向ＤＰ２とが形成する角度は、３０°以上４０°以下、または、５０°以上６０°以下のいずれかの範囲に含まれる角度である。
【００３９】
複数のドライブ主線３２ＭＬは、複数のドライブ主線３２ＭＬの一部から構成されるドライブ主線群３２Ｇを含んでいる。１つのドライブ主線群３２Ｇに含まれる複数のドライブ主線３２ＭＬは、第２電極方向ＤＥ２に沿って等しい間隔を空けて並んでいる。第２電極方向ＤＥ２において互いに隣り合う２つのドライブ主線群３２Ｇの間の間隔は、同じドライブ主線群３２Ｇに含まれるドライブ主線３２ＭＬの間の間隔よりも大きい。より詳しくは、第２電極方向ＤＥ２において、互いに隣り合う２つのドライブ主線群３２Ｇの間の距離は、同じドライブ主線群３２Ｇに含まれるドライブ主線３２ＭＬの間の距離の２倍である。
【００４０】
複数のドライブ副線３２ＳＬは、第２電極方向ＤＥ２に沿って延びる直線形状を有し、かつ、互いに隣り合うドライブ電極３２の間において途切れる線分である。複数のドライブ副線３２ＳＬにおいて、互いに隣り合うドライブ電極３２の間において途切れる部分は、図３において一点鎖線の円によって囲まれ、第１画素方向ＤＰ１に沿って並んでいる。複数のドライブ副線３２ＳＬの各々は、ドライブ主線群３２Ｇを構成する複数のドライブ主線３２ＭＬを並列に接続している。複数のドライブ副線３２ＳＬは、第１電極方向ＤＥ１に沿って等しい間隔を空けて並んでいる。
【００４１】
各センシング電極３３は、複数のセンシング主線３３ＭＬと、複数のセンシング副線３３ＳＬとを備えている。複数のセンシング主線３３ＭＬの各々は、第２電極方向ＤＥ２に沿って延びる直線形状を有し、かつ、互いに隣り合うセンシング電極３３の間において途切れる線分である。複数のセンシング主線３３ＭＬの各々において、互いに隣り合うセンシング電極３３の間において途切れる部分は、図３において一点鎖線の円によって囲まれ、第２画素方向ＤＰ２に沿って並んでいる。複数のセンシング主線３３ＭＬは、第１電極方向ＤＥ１に沿って、間隔を空けて並んでいる。
【００４２】
複数のセンシング主線３３ＭＬは、複数のセンシング主線３３ＭＬの一部から構成されるセンシング主線群３３Ｇを含んでいる。１つのセンシング主線群３３Ｇに含まれる複数のセンシング主線３３ＭＬは、第１電極方向ＤＥ１に沿って等しい間隔を空けて並んでいる。第１電極方向ＤＥ１において互いに隣り合う２つのセンシング主線群３３Ｇの間の間隔は、同じセンシング主線群３３Ｇに含まれるセンシング主線３３ＭＬ間の間隔よりも大きい。より詳しくは、第１電極方向ＤＥ１において、互いに隣り合うセンシング主線群３３Ｇの間の距離は、同じセンシング主線群３３Ｇに含まれるセンシング主線３３ＭＬの間の距離の２倍である。
【００４３】
複数のセンシング副線３３ＳＬは、第１電極方向ＤＥ１に沿って延びる直線形状を有し、かつ、互いに隣り合うセンシング電極３３の間において途切れる線分である。複数のセンシング副線３３ＳＬにおいて、互いに隣り合うセンシング電極３３の間において途切れる部分が、図３において一点鎖線の円によって囲まれ、第２画素方向ＤＰ２に沿って並んでいる。複数のセンシング副線３３ＳＬの各々は、センシング主線群３３Ｇを構成する複数のセンシング主線３３ＭＬを並列に接続している。複数のセンシング副線３３ＳＬは、第２電極方向ＤＥ２に沿って等しい間隔を空けて並んでいる。
【００４４】
センシング面３１Ｓと対向する平面視において、ドライブ主線３２ＭＬは、センシング主線３３ＭＬと互いに交差する位置であって、かつ、第１電極方向ＤＥ１に沿ってセンシング副線３３ＳＬとは互いに重ならない位置に配置されている。ドライブ副線３２ＳＬは、センシング副線３３ＳＬと互いに交差する位置であって、かつ、第２電極方向ＤＥ２に沿ってセンシング主線３３ＭＬとは互いに重ならない位置に配置されている。
【００４５】
また、センシング主線３３ＭＬは、ドライブ主線３２ＭＬと互いに交差する位置であって、かつ、第２電極方向ＤＥ２に沿ってドライブ副線３２ＳＬとは互いに重ならない位置に配置されている。センシング副線３３ＳＬは、ドライブ副線３２ＳＬと互いに交差する位置であって、かつ、第１電極方向ＤＥ１に沿ってドライブ主線３２ＭＬとは互いに重ならない位置に配置されている。
【００４６】
第２電極方向ＤＥ２において互いに隣り合う２つのドライブ主線群３２Ｇの間隙には、１つのセンシング副線３３ＳＬが配置されている。一方で、第１電極方向ＤＥ１において互いに隣り合う２つのセンシング主線群３３Ｇの間隙には、１つのドライブ副線３２ＳＬが配置されている。
【００４７】
そして、第２電極方向ＤＥ２において、センシング副線３３ＳＬと、センシング副線３３ＳＬと隣り合うドライブ主線３２ＭＬとの間の距離は、同じドライブ主線群３２Ｇに含まれるドライブ主線３２ＭＬの間の距離に等しい。また、第１電極方向ＤＥ１において、ドライブ副線３２ＳＬと、ドライブ副線３２ＳＬと隣り合うセンシング主線３３ＭＬとの間の距離は、同じセンシング主線群３３Ｇに含まれるセンシング主線３３ＭＬの間の距離に等しい。
【００４８】
これにより、センシング面３１Ｓと対向する平面視において、正方形形状を有する複数単位格子２１ｃが形成され、複数の単位格子２１ｃから構成される正方格子形状を有する格子状電極２１Ｅが形成される。格子状電極２１Ｅでは、複数の単位格子２１ｃが、第１電極方向ＤＥ１および第２電極方向ＤＥ２に沿って並んでいる。
【００４９】
なお、格子状電極２１Ｅは、二次元の格子であり、格子状電極２１Ｅにおいて、センシング面３１Ｓと対向する平面視にて、単位格子２１ｃが正方形形状を有している。格子状電極２１Ｅでは、単位格子１２ａが、第１電極方向ＤＥ１と第２電極方向ＤＥ２とに沿って並進し、かつ、単位格子２１ｃの並進する方向である第１電極方向ＤＥ１と第２電極方向ＤＥ２とが、互いに直交している。また、単位格子２１ｃは、第１電極方向ＤＥ１に沿う直線上に並び、かつ、第２電極方向ＤＥ２に沿う直線上に並んでいる。
【００５０】
こうした格子状電極２１Ｅによれば、ドライブ電極３２とセンシング電極３３とが、センシング面３１Ｓと対向する方向において立体的に重なる。そのため、ドライブ電極３２とセンシング電極３３との間に形成される電気力線が、格子状電極２１Ｅの外部に露出しにくい。結果として、ドライブ電極３２とセンシング電極３３との間の静電容量の変化が、ノイズによって影響されにくい。
【００５１】
図４が示すように、各ドライブ電極線３２Ｌは、繰り返し単位２１ＲＵから構成されてもよい。各ドライブ電極線３２Ｌは、複数の繰り返し単位２１ＲＵを備え、複数の繰り返し単位２１ＲＵは、第１画素方向ＤＰ１に沿って連続している。
【００５２】
繰り返し単位２１ＲＵは、第１電極方向ＤＥ１に沿って延びる主線２１ＭＬ、第２電極方向ＤＥ２に沿って延びる副線２１ＳＬ、および、同じく第２電極方向ＤＥ２に沿って延びる２本の補助線２１ＡＬを備えている。上述した単位格子２１ｃにおける一辺の長さが単位長さであり、第１電極方向ＤＥ１に沿う主線２１ＭＬの長さは、単位長さの２倍であり、第２電極方向ＤＥ２に沿う副線２１ＳＬの長さ、および、第２電極方向ＤＥ２に沿う補助線２１ＡＬの長さの各々は、単位長さに等しい。
【００５３】
１つの繰り返し単位２１ＲＵにおいて、主線２１ＭＬの一方の端部に副線２１ＳＬが接続している。副線２１ＳＬの２つの端部のうち、同じ繰り返し単位２１ＲＵに含まれる主線２１ＭＬが接続していない端部に、第１電極方向ＤＥ１において互いに隣り合う他の繰り返し単位２１ＲＵの主線２１ＭＬが接続している。一方で、副線２１ＳＬの２つの端部の各々には、１本の補助線２１ＡＬが接続している。
【００５４】
なお、各ドライブ電極線３２Ｌが複数の繰り返し単位２１ＲＵを備える構成では、各センシング電極線３３Ｌも複数の繰り返し単位２１ＲＵを備えている。そして、センシング電極線３３Ｌの備える複数の繰り返し単位２１ＲＵの各々は、センシング面３１Ｓと対向する平面視にて、ドライブ電極線３２Ｌの備える繰り返し単位２１ＲＵに対して９０°傾いている。
【００５５】
図５が示すように、ドライブ面３１Ｄに複数の繰り返し単位２１ＲＵが並び、かつ、センシング面３１Ｓに複数の繰り返し単位２１ＲＵが並んでいる。センシング面３１Ｓと対向する平面視において、ドライブ面３１Ｄに配置された１つの主線２１ＭＬは、センシング面３１Ｓに配置された１つの主線２１ＭＬと互いに交差する位置であって、かつ、センシング面３１Ｓに配置された副線２１ＳＬ、および、補助線２１ＡＬとは交差しない位置に配置されている。
【００５６】
また、センシング面３１Ｓに配置された１つの主線２１ＭＬは、ドライブ面３１Ｄに配置された１つの主線２１ＭＬと互いに交差する位置であって、かつ、ドライブ面３１Ｄに配置された副線２１ＳＬ、および、補助線２１ＡＬとは交差しない位置に配置されている。
【００５７】
一方で、ドライブ面３１Ｄにおける複数の副線２１ＳＬ、および、複数の補助線２１ＡＬの各々は、第２電極方向ＤＥ２に沿ってセンシング面３１Ｓにおける複数の主線２１ＭＬの全てと互いに重ならない位置に配置されている。
【００５８】
また、センシング面３１Ｓにおける複数の副線２１ＳＬ、および、複数の補助線２１ＡＬの各々は、第１電極方向ＤＥ１に沿ってドライブ面３１Ｄにおける複数の主線２１ＭＬの全てと互いに重ならない位置に配置されている。
【００５９】
これにより、センシング面３１Ｓと対向する平面視において、複数の正方形形状を有する単位格子２１ｃから形成された正方格子形状を有する格子状電極２１Ｅが形成される。格子状電極２１Ｅでは、複数の単位格子２１ｃが、第１電極方向ＤＥ１および第２電極方向ＤＥ２に沿って並んでいる。
【００６０】
第１画素方向ＤＰ１に沿って延びるドライブ電極３２は、複数のドライブ幅広部３２ａと、複数のドライブ幅狭部３２ｂとを備えている。複数のドライブ幅広部３２ａは、第１画素方向ＤＰ１に沿って一定の間隔を空けて並び、複数のドライブ幅狭部３２ｂは、第１画素方向ＤＰ１において互いに隣り合う２つのドライブ幅広部３２ａの間に１つずつ位置して、２つのドライブ幅広部３２ａを接続している。
【００６１】
第２画素方向ＤＰ２において互いに隣り合う２つのドライブ電極３２の間には、第１画素方向ＤＰ１に沿って複数のドライブダミー部３２ＤＤが並んでいる。各ドライブダミー部３２ＤＤは、互いに隣り合うドライブ電極３２から離れている。
【００６２】
すなわち、ドライブ面３１Ｄに並ぶ複数の繰り返し単位２１ＲＵには、ドライブ電極３２とドライブダミー部３２ＤＤとの境界に位置する繰り返し単位２１ＲＵが含まれる。そして、境界に位置する繰り返し単位２１ＲＵのうち、主線２１ＭＬは、第１電極方向ＤＥ１に沿って延びる途中において、間隙２１ｇを挟んで二分されている。
【００６３】
これに対して、第２画素方向ＤＰ２に沿って延びるセンシング電極３３は、複数のセンシング幅広部３３ａと、複数のセンシング幅狭部３３ｂとを備えている。複数のセンシング幅広部３３ａは、第２画素方向ＤＰ２に沿って一定の間隔を空けて並び、複数のセンシング幅狭部３３ｂは、第２画素方向ＤＰ２において互いに隣り合う２つのセンシング幅広部３３ａの間に１つずつ位置して、２つのセンシング幅広部３３ａを接続している。
【００６４】
第１画素方向ＤＰ１において互いに隣り合う２つのセンシング電極３３の間には、第２画素方向ＤＰ２に沿って複数のセンシングダミー部３３ＳＤが並んでいる。各センシングダミー部３３ＳＤは、互いに隣り合うセンシング電極３３から離れている。
【００６５】
すなわち、センシング面３１Ｓに並ぶ複数の繰り返し単位２１ＲＵには、センシング電極３３とセンシングダミー部３３ＳＤとの境界に位置する繰り返し単位２１ＲＵが含まれる。そして、境界に位置する繰り返し単位２１ＲＵのうち、主線２１ＭＬは、第２電極方向ＤＥ２に沿って延びる途中において、間隙２１ｇを挟んで二分されている。
【００６６】
センシング面３１Ｓと対向する平面視において、１つのドライブ幅広部３２ａが、１つのセンシングダミー部３３ＳＤに立体的に重なり、１つのセンシング幅広部３３ａが、１つのドライブダミー部３２ＤＤに立体的に重なっている。さらに、センシング面３１Ｓと対向する平面視において、１つのドライブ幅狭部３２ｂが、１つのセンシング幅狭部３３ｂに立体的に重なっている。
【００６７】
こうした格子状電極２１Ｅによれば、互いに隣り合うドライブ幅広部３２ａとセンシング幅広部３３ａとが立体的に重ならない。そのため、ドライブ幅広部３２ａとセンシング幅広部３３ａとの間に形成される電気力線が、格子状電極２１Ｅの外部に露出しやすい。それゆえに、ドライブ電極３２とセンシング電極３３との間の静電容量が変わりやすい。
【００６８】
［表示装置の構成とモアレとの関係］
図６、および、表１から表４を参照して、表示装置１００の構成と、表示装置１００に生じるモアレとの関係を説明する。なお、図６では、図示の便宜上から、表示パネル１０が備えるブラックマトリックス１２と、タッチパネル２０が備える格子状電極２１Ｅのみが示され、また、ブラックマトリックス１２と格子状電極２１Ｅとが模式的に示されている。
【００６９】
図６が示すように、表示装置１００において、表示パネル１０の上にタッチパネル２０が積み重なるため、ブラックマトリックス１２の正方格子１２Ｇに対して格子状電極２１Ｅが積み重なる。
【００７０】
第１画素方向ＤＰ１と第１電極方向ＤＥ１とが平行であり、かつ、正方格子１２Ｇの中心と格子状電極２１Ｅの中心とが一致した状態が、上述した傾斜角度θが０°である初期状態である。また、センシング面３１Ｓと対向する平面視において、初期状態における正方格子１２Ｇの中心と、格子状電極２１Ｅの中心とが重なる位置が中心Ｃである。そして、中心Ｃを通り、かつ、表示パネル１０とタッチパネル２０とが積み重なる方向に沿って延びる回転軸を中心として格子状電極２１Ｅを回転させることによって、傾斜角度θが変更される。格子状電極２１Ｅにおいて、単位格子２１ｃにおける単位長さが電極ピッチＰＥである。
【００７１】
ブラックマトリックス１２において、画素密度は、上述したように、例えば、９６ｐｐｉ、１５０ｐｐｉ、または、３６４ｐｐｉである。以下では、上述した第１画素ピッチＰ１と第２画素ピッチＰ２とが等しい構成について説明するため、第１画素ピッチＰ１および第２画素ピッチＰ２の双方を指して画素ピッチＰＰと記載する。そして、画素密度が９６ｐｐｉであるとき、画素ピッチＰＰは０．２６４５ｍｍであり、画素密度が１５０ｐｐｉであるとき、画素ピッチＰＰは０．１６９３ｍｍであり、画素密度が３６４ｐｐｉであるとき、画素ピッチＰＰは０．０６９８ｍｍである。なお、各画素ピッチＰＰは、１インチ、すなわち、２５．４ｍｍを各画素密度で除算した値である。
【００７２】
以下では、表示装置１００の構成と、表示装置１００に生じるモアレとの関係を説明する。なお、表示装置１００の構成のうち、ブラックマトリックス１２の画素密度、電極ピッチＰＥ、および、傾斜角度θの各々が所定の値に設定されるときに、タッチパネル２０の操作面にモアレが生じるか否かが目視によって評価される。
【００７３】
まず、ブラックマトリックス１２の画素密度が９６ｐｐｉであるときの評価結果は、以下の表１に示される通りである。なお、以下に示される表において、画素／電極は、画素ピッチＰＰを電極ピッチＰＥで除算した値であり、電極／画素は、電極ピッチＰＥを画素ピッチＰＰで除算した値である。また、以下に示される表では、タッチパネル２０の操作面にモアレが認められない場合が○で示され、モアレが認められる場合が×で示され、モアレが認められるものの、モアレが抑えられている場合が△で示されている。
【００７４】
【表１】
0006513459.tif 000002
【００７５】
表１が示すように、傾斜角度θが３０°以上３５°以下、または、５５°以上６０°以下であるとき、電極ピッチＰＥが、０．３００ｍｍ以上０．３５５ｍｍ以下、または、０．４１０ｍｍ以上０．４５０ｍｍ以下であれば、モアレが生じないことが認められている。すなわち、電極ピッチＰＥに対する画素ピッチＰＰの比が、０．５８７８以上０．６４５１以下、または、０．７４５１以上０．８８１７以下であれば、モアレが生じないことが認められている。また、画素ピッチＰＰに対する電極ピッチＰＥの比が、１．２１７０以上１．４４０２以下、または、１．６６３３以上１．８２５６以下であれば、モアレが生じないことが認められている。
【００７６】
また、傾斜角度θが３５°よりも大きく４０°以下、または、５０°以上５５°未満であるとき、電極ピッチＰＥが、０．３００ｍｍ以上０．３５５ｍｍ以下、０．４１０ｍｍ以上０．４１５以下、または、０．４２５ｍｍ以上０．４５０ｍｍ以下であれば、モアレが生じないことが認められている。すなわち、電極ピッチＰＥに対する画素ピッチＰＰの比が、０．５８７８以上０．６２２４以下、０．６３７３以上０．６４５１以下、または、０．７４５１以上０．８８１７以下であれば、モアレが生じないことが認められている。また、画素ピッチＰＰに対する電極ピッチＰＥの比が、１．２１７０以上１．４４０２以下、１．６６３３以上１．６８３６以下、または、１．７２４１以上１．８２５６以下であれば、モアレが生じないことが認められている。
【００７７】
一方で、傾斜角度θが３０°以上３５°以下、または、５５°以上６０°以下であるとき、電極ピッチＰＥが０．３７５ｍｍであればモアレが生じないことが認められている。また、傾斜角度θが３５°よりも大きく４０°以下、または、５５°よりも大きく６０°以下であるとき、電極ピッチＰＥが０．３８０ｍｍであればモアレが生じないことが認められている。ただし、これらの構成では、モアレが生じない構成とする上で、電極ピッチＰＥに許容される範囲が小さい、言い換えれば、至適な電極ピッチＰＥからのずれ量において許容される範囲が小さい。そのため、各傾斜角度θにおける電極ピッチＰＥには、上述した範囲のいずれかが選択されることが好ましい。
【００７８】
なお、傾斜角度θが３０°以上４０°以下、または、５０°以上６０°以下であれば、傾斜角度θが他の範囲に含まれる値であるときと比べて、モアレが生じない電極ピッチＰＥの範囲が広い、すなわち、タッチパネル２０の操作面においてモアレが生じることが抑えられることも認められている。
ブラックマトリックス１２の画素密度が１５０ｐｐｉであるときの評価結果は、以下の表２に示される通りである。
【００７９】
【表２】
0006513459.tif 000003
【００８０】
表２が示すように、傾斜角度θが３０°以上３５°以下、または、５５°以上６０°以下であるとき、電極ピッチＰＥが、０．２６５ｍｍ以上０．３１５ｍｍ以下であれば、モアレが生じないことが認められている。すなわち、電極ピッチＰＥに対する画素ピッチＰＰの比が、０．５３７５以上０．６３８９以下であり、画素ピッチＰＰに対する電極ピッチＰＥの比が、１．５６５３以上１．８６０６以下であれば、モアレが生じないことが認められている。
【００８１】
また、傾斜角度θが３５°よりも大きく４０°以下、または、５０°以上５５°未満であるとき、電極ピッチＰＥが、０．２７５ｍｍ以上０．２９０ｍｍ以下であれば、モアレが生じないことが認められている。すなわち、電極ピッチＰＥに対する画素ピッチＰＰの比が、０．５８３８以上０．６１５６以下であり、画素ピッチＰＰに対する電極ピッチＰＥの比が、１．６２４３以上１．７１２９以下であれば、モアレが生じないことが認められている。
【００８２】
そして、傾斜角度θが３５°よりも大きく４０°以下、または、５０°以上５５°未満であるとき、電極ピッチＰＥが、０．２６５ｍｍ以上０．２７０ｍｍ以下、０．２９５ｍｍ以上０．３００ｍｍ以下、または、０．３１０ｍｍ以上０．３１５ｍｍ以下であれば、モアレが抑えられることが認められている。すなわち、電極ピッチＰＥに対する画素ピッチＰＰの比が、０．５３７５以上０．５４６１以下、０．５６４３以上０．５７３９以下、または、０．６２７０以上０．６３８９以下であれば、モアレが抑えられることが認められている。また、画素ピッチＰＰに対する電極ピッチＰＥの比が、１．５６５３以上１．５９４８以下、１．７４２５以上１．７７２０以下、または、１．８３１１以上１．８６０６以下であれば、モアレが抑えられることが認められている。
【００８３】
なお、傾斜角度θが３０°以上４０°以下、または、５０°以上６０°以下であれば、傾斜角度θが他の範囲に含まれる値であるときと比べて、モアレが生じない電極ピッチＰＥの範囲が広い、すなわち、タッチパネル２０の操作面においてモアレが生じることが抑えられることも認められている。
ブラックマトリックス１２の画素密度が３６４ｐｐｉであるときの評価結果は、以下の表３に示される通りである。
【００８４】
【表３】
0006513459.tif 000004
【００８５】
表３が示すように、傾斜角度θが３０°以上３５°以下、または、５５°以上６０°以下であるとき、電極ピッチＰＥが、０．２６０ｍｍ以上０．２６５ｍｍ以下であれば、モアレが生じないことが認められている。すなわち、電極ピッチＰＥに対する画素ピッチＰＰの比が、０．２６３４以上０．２６８５以下であり、画素ピッチＰＰに対する電極ピッチＰＥの比が、３．７２４９以上３．７９６６以下であれば、モアレが生じないことが認められている。
【００８６】
また、傾斜角度θが３５°よりも大きく４０°以下、または、５０°以上５５°未満であるとき、電極ピッチＰＥが、０．２６０ｍｍ以上０．２６５ｍｍ以下であれば、モアレが抑えられることが認められている。すなわち、電極ピッチＰＥに対する画素ピッチＰＰの比が、０．２６３４以上０．２６８５以下であり、画素ピッチＰＰに対する電極ピッチＰＥの比が、３．７２４９以上３．７９６６以下であれば、モアレが抑えられることが認められている。
【００８７】
なお、傾斜角度θが３０°以上４０°以下、または、５０°以上６０°以下であれば、傾斜角度θが他の範囲に含まれる値であるときと比べて、モアレが生じない電極ピッチＰＥの範囲が広い、すなわち、タッチパネル２０の操作面においてモアレが生じることが抑えられることも認められている。
【００８８】
また、先に説明した表１および表２に示される評価結果から、表示装置１００において、画素密度、電極ピッチＰＥ、および、傾斜角度θの各々が、以下の表４で規定される範囲に含まれる場合には、タッチパネル２０の操作面にモアレが抑えられることが認められている。
【００８９】
【表４】
0006513459.tif 000005
【００９０】
すなわち、表４が示すように、傾斜角度θが３０°以上３５°以下、または、５５°以上６０°以下であるとき、画素密度が９６ｐｐｉ以上１５０ｐｐｉ以下であり、かつ、電極ピッチＰＥが０．３００ｍｍ以上０．３１５ｍｍ以下であれば、タッチパネル２０の操作面においてモアレが抑えられることが認められている。
【００９１】
以上説明したように、表示装置の１つの実施形態によれば、以下に列挙する効果を得ることができる。
（１）傾斜角度が、３０°以上４０°以下、または、５０°以上６０°以下であるため、傾斜角度が他の角度の範囲に含まれる構成と比べて、表示装置１００においてモアレが生じることが抑えられる。
【００９２】
（２）傾斜角度が３０°以上３５°以下、または、５５°以上６０°以下であり、画素密度が９６ｐｐｉ以上１５０ｐｐｉ以下であり、かつ、電極ピッチＰＥが０．３００ｍｍ以上０．３１５ｍｍ以下であるとき、タッチパネル２０の操作面においてモアレが生じることが抑えられる。
【００９３】
（３）傾斜角度が３０°以上４０°以下、または、５０°以上６０°以下であり、画素密度が９６ｐｐｉであり、かつ、電極ピッチＰＥが０．３００ｍｍ以上０．３１５ｍｍ以下であるとき、タッチパネル２０の操作面にモアレが生じない。
【００９４】
（４）傾斜角度が３０°以上３５°以下、または、５５°以上６０°以下であり、画素密度が９６ｐｐｉであり、かつ、電極ピッチＰＥが、０．４１０ｍｍ以上０．４５０ｍｍ以下であるとき、タッチパネル２０の操作面にモアレが生じない。
【００９５】
（５）傾斜角度が３０°以上３５°以下、または、５５°以上６０°以下であり、画素密度が１５０ｐｐｉであり、かつ、電極ピッチＰＥが０．２６５ｍｍ以上０．３１５ｍｍ以下であるとき、タッチパネル２０の操作面にモアレが生じない。
【００９６】
（６）傾斜角度が３０°以上３５°以下、または、５５°以上６０°以下であり、画素密度が３６４ｐｐｉであり、かつ、電極ピッチＰＥが０．２６０ｍｍ以上０．２６５ｍｍ以下であるとき、タッチパネル２０の操作面にモアレが生じない。
【００９７】
なお、上述した実施形態は、以下のように適宜変更して実施することもできる。
・画素密度が９６ｐｐｉ、１５０ｐｐｉ、および、３６４ｐｐｉの各々であるときの画素ピッチＰＰの値は、上述した値に限らない。要は、画素密度が９６ｐｐｉであれば、ブラックマトリックス１２は、１インチ中に９６個の画素が並ぶことが可能な構成であればよいし、画素密度が１５０ｐｐｉであれば、ブラックマトリックス１２は、１インチ中に１５０個の画素が並ぶことが可能な構成であればよい。また、画素密度が３６４ｐｐｉであれば、ブラックマトリックス１２は、１インチ中に３６４個の画素が並ぶことが可能な構成であればよい。
【００９８】
・画素密度は、上述した９６ｐｐｉ、１５０ｐｐｉ、および、３６４ｐｐｉに限らず、他の画素密度であってもよい。こうした構成であっても、傾斜角度が３０°以上４０°以下、または、５０°以上６０°以下のいずれかであれば、傾斜角度が他の角度の範囲に含まれる構成と比べて、モアレが生じない電極ピッチＰＥの範囲が拡がる、すなわち、表示装置１００に生じるモアレが抑えられる。
【００９９】
・電極ピッチＰＥは、上述した範囲に含まれる以外の値であってもよい。こうした構成であっても、傾斜角度が３０°以上４０°以下、または、５０°以上６０°以下のいずれかであれば、傾斜範囲が他の角度の範囲に含まれる構成と比べて、モアレが生じない画素密度の範囲が拡がる、すなわち、表示装置１００に生じるモアレが抑えられる。
【０１００】
・図５が示す格子状電極２１Ｅにおいて、ドライブ面３１Ｄに配置された全ての繰り返し単位２１ＲＵが電極線として機能し、かつ、センシング面３１Ｓと対向に配置された全ての繰り返し単位２１ＲＵが電極線として機能する構成でもよい。こうした構成によれば、図３が示す格子状電極２１Ｅと同様、各ドライブ電極３２と各センシング電極３３との間に形成される電気力線が、ノイズによって影響されにくい。
【０１０１】
・複数のドライブ電極３２の各々の構成と、複数のセンシング電極３３の各々の構成とは、センシング面３１Ｓと対向する平面視において、正方格子を形成することが可能であれば、上述した構成以外の構成であってもよい。
【０１０２】
・複数のドライブ電極３２の各々と、複数のセンシング電極３３の各々とが、複数の単位格子から構成される格子状の電極であってもよい。こうした構成であっても、センシング面３１Ｓと対向する平面視において、複数のドライブ電極３２と複数のセンシング電極３３とが１つの格子状電極２１Ｅを形成することが可能であればよい。
【０１０３】
・表示パネル１０は、有機ＥＬパネルやＬＥＤパネルであってもよく、こうした構成では、複数の色の光を発光する発光層が、ブラックマトリックスを備えている。ブラックマトリックスは、上述した液晶パネルにおけるブラックマトリックス１２と同等の構成であり、かつ、赤色を有する光を発光する発光層、緑色の光を発光する発光層、および、青色の光を発光する発光層が、単位格子内に区画された３つの領域うち、互いに異なる領域に形成されている。
【０１０４】
・ドライブ電極３２およびセンシング電極３３は、銅以外の金属、例えば、銀などから形成されてもよいし、銀ナノワイヤー、および、グラフェン膜などの導電膜から形成されてもよい。
【０１０５】
・図７および図８が示すように、タッチパネル２０において、複数のドライブ電極３２と複数のセンシング電極３３とは、互いに異なる基材の上に形成されていてもよい。
【０１０６】
すなわち、図７が示すように、タッチセンサ用電極２１は、上述した実施形態の構成に加えて、透明基板３４および透明接着層３５を備えている。そして、タッチパネル２０において、タッチセンサ用電極２１を構成する構成要素のなかで表示パネル１０に近い構成要素から順番に、透明基板３４、複数のドライブ電極３２、透明接着層３５、透明誘電体基板３１、複数のセンシング電極３３が位置している。
【０１０７】
透明基板３４は、表示パネル１０の表示面が表示する画像などの情報を透過する光透過性を有している。透明基板３４は、例えば、透明ガラス基板や透明樹脂フィルムなどの基材から構成されて、１つの基材から構成される単層構造を有してもよいし、２つ以上の基材が重ねられた多層構造を有していてもよい。透明基板３４における表示パネル１０とは反対側の面は、ドライブ面３４Ｄであり、ドライブ面３４Ｄには、複数のドライブ電極３２が配置されている。複数のドライブ電極３２、および、ドライブ面３４Ｄにおいてドライブ電極３２が位置しない部分は、透明接着層３５によって透明誘電体基板３１に貼り合わされている。
【０１０８】
透明接着層３５は、表示面が表示する画像などの情報を透過する光透過性を有し、透明接着層３５の形成材料には、例えば、ポリエーテル系接着剤やアクリル系接着剤などが用いられる。複数のドライブ電極３２が透明接着層３５によって透明誘電体基板３１に貼り合わされることで、透明誘電体基板３１における透明基板３４と向かい合う面である下面には、複数のドライブ電極３２が並ぶ。
【０１０９】
そして、透明誘電体基板３１における透明接着層３５とは反対側の面である表面は、センシング面３１Ｓであり、センシング面３１Ｓには、複数のセンシング電極３３が配置されている。
【０１１０】
なお、こうした構成では、タッチパネル２０の製造方法として、ドライブ電極３２が形成された透明基板３４とセンシング電極３３が形成された透明誘電体基板３１とが貼り合わされる方法に加えて、以下の方法が採用されてもよい。すなわち、カバー層２２として機能する樹脂フィルムに、銅などの導電性金属から形成される薄膜層が直に、もしくは、下地層を介して形成され、薄膜層の上にセンシング電極３３のパターン形状を有したレジスト層が形成される。次いで、塩化第二鉄などを用いたウェットエッチング法によって、薄膜層が複数のセンシング電極３３に加工されることで、第１のフィルムが得られる。また、センシング電極３３と同様に、透明基板３４として機能する他の樹脂フィルムに形成された薄膜層が複数のドライブ電極３２に加工されることで、第２のフィルムが得られる。そして、第１フィルムが、透明誘電体基板３１の上面に透明接着層２３によって貼り付けられ、かつ、第２フィルムが、透明誘電体基板３１の下面に透明接着層３５によって貼り付けられる。
【０１１１】
図８が示すように、タッチパネル２０において、タッチセンサ用電極２１を構成する構成要素のなかで表示パネル１０に近い構成要素から順番に、ドライブ電極３２、透明基板３４、透明接着層３５、透明誘電体基板３１、センシング電極３３が位置している。
【０１１２】
透明基板３４は、１つの面であるドライブ面３４Ｄを備え、複数のドライブ電極３２は、ドライブ面３４Ｄに形成されている。透明誘電体基板３１は、１つの面であるセンシング面３１Ｓを備え、複数のセンシング電極３３は、センシング面３１Ｓに形成されている。そして、透明基板３４におけるドライブ面３４Ｄとは反対側の面と、透明誘電体基板３１におけるセンシング面３１Ｓとは反対側の面とが、透明接着層３５によって接着される。
【０１１３】
・表示パネル１０とタッチパネル２０とは、個別に形成されていなくともよく、タッチパネル２０は、表示パネル１０と一体に形成されていてもよい。こうした構成では、例えば、タッチセンサ用電極２１のうち、複数のドライブ電極３２が、表示パネル１０の備えるＴＦＴ層に位置する一方で、複数のセンシング電極３３が、カラーフィルタ層とカラーフィルタ層の上に位置する偏光板との間に位置するインセル型の構成とすることができる。あるいは、タッチセンサ用電極２１がカラーフィルタ層とカラーフィルタ層の上に位置する偏光板との間に位置するオンセル型の構成でもよい。
【符号の説明】
【０１１４】
１０…表示パネル、１１…カラーフィルタ層、１２…ブラックマトリックス、１２ａ，２１ｃ…単位格子、１２ｂ…副画素線、１２Ｇ…正方格子、１３…画素、１３Ｂ，１３Ｇ，１３Ｒ…着色層、２０…タッチパネル、２１…タッチセンサ用電極、２１ＡＬ…補助線、２１Ｅ…格子状電極、２１ｇ…間隙、２１ＭＬ…主線、２１ＲＵ…繰り返し単位、２１ＳＬ…副線、２２…カバー層、２３，３５…透明接着層、３１…透明誘電体基板、３１Ｄ，３４Ｄ…ドライブ面、３１Ｓ…センシング面、３２…ドライブ電極、３２ａ…ドライブ幅広部、３２ｂ…ドライブ幅狭部、３２ＤＤ…ドライブダミー部、３２Ｇ…ドライブ主線群、３２Ｌ…ドライブ電極線、３２ＭＬ…ドライブ主線、３２ＳＬ…ドライブ副線、３３…センシング電極、３３ａ…センシング幅広部、３３ｂ…センシング幅狭部、３３Ｇ…センシング主線群、３３Ｌ…センシング電極線、３３ＭＬ…センシング主線、３３ＳＤ…センシングダミー部、３３ＳＬ…センシング副線、３４…透明基板、４０…選択回路、５０…検出回路、１００…表示装置。
【図１】
0006513459.tif 000006
【図２】
0006513459.tif 000007
【図３】
0006513459.tif 000008
【図４】
0006513459.tif 000009
【図５】
0006513459.tif 000010
【図６】
0006513459.tif 000011
【図７】
0006513459.tif 000012
【図８】
0006513459.tif 000013